(57)【特許請求の範囲】
【請求項１】
ケース本体（１）に通設したガイド溝（２２）の内外に、可動端子（２４）が装着してあるスライドピース（２３）と、スライドピース（２３）をスライド操作する操作ノブ（６）とが配置されており、
操作ノブ（６）とスライドピース（２３）との対向面には、ガイド溝（２２）を介して互いに嵌係合する外連結体（３７）と内連結体（３１）とが設けられており、
操作ノブ（６）から外連結体（３７）が内方に向けて突出しており、スライドピース（２３）から内連結体（３１）が外方に向けて突出しており、
スライドピース（２３）のベース部（３１ｃ）に設けた内連結体（３１）が枠状に形成されており、
内連結体（３１）の左右方向の幅寸法は、ベース部（３１ｃ）のそれよりも小さく設定されており、内連結体（３１）の内外方向の厚み寸法は、ベース部（３１ｃ）のそれよりも大きく設定されており、
ガイド溝（２２）は、外連結体（３７）の挿入を許す通孔部と、ケース本体（１）の内面に設けられて、前記通孔部に連通して内連結体（３１）およびベース部（３１ｃ）の収容を許す収容部とで構成されており、
収容部が、内方寄りに設けられてベース部（３１ｃ）の内外方向の厚み寸法の一部の収容を許す幅広の内収容部と、該内収容部よりも外方寄りに設けられて、内連結体（３１）の内外方向の厚み寸法の全体の収容を許す幅狭の外収容部とからなる、段付き状に形成されており、
外連結体（３７）の下端左右に係合爪（３７ａ）が設けられ、内連結体（３１）の枠体空間の内面上部に係合爪（３７ａ）を受け止める係合段部（３１ａ）が設けられており、これら係合爪（３７ａ）と係合段部（３１ａ）の係合により、内外の両連結体（３１・３７）が、操作ノブ（６）の外面と、スライドピース（２３）の内面との間で係合連結してあり、
係合爪（３７ａ）の全体が内連結体（３１）の枠内空間に収容されており、
ケース本体（１）に設けたガイド溝（２２）の厚み範囲内で、内連結体（３１）と外連結体（３７）とが係合連結していることを特徴とする電気機器のスイッチ構造。
【請求項２】
スライドピース（２３）が、ガイド溝（２２）と、ガイド溝（２２）の内方に配置したモーター（４）の平坦周面（４ａ）とで往復スライド自在に案内支持されている請求項１記載の電気機器のスイッチ構造。
【請求項３】
内連結体（３１）の枠外面に可動端子（２４）が外嵌装着されている請求項１または２記載の電気機器のスイッチ構造。
【請求項４】
内外の両連結体（３１・３７）の嵌係合部の周面が、ガイド溝（２２）の溝側壁（２２ａ）で拡開不能に規制案内されている請求項１、２または３記載の電気機器のスイッチ構造。
【請求項５】
スライドピース（２３）に設けた内連結体（３１）のベース部（３１ｃ）の周側壁が、ケース本体（１）の内面に突設したガイドリブ（３９）でスライド案内してある請求項１、２、３または４記載の電気機器のスイッチ構造。
【請求項６】
ケース本体（１）とスライドピース（２３）との間に、スライドピース（２３）の切り換わり状態を保持する節動機構が設けられており、
節動機構が、スライドピース（２３）と一体に設けられて、左右方向へ弾性変形する節動部（３２）と、ケース本体（１）の内面に設けられる横向きの節動突起（４０）とで構成されており、
節動部（３２）の外側面には、突片（３３）が設けられており、
節動突起（４０）が、突片（３３）の内面より外側位置で突片（３３）と係合するように形成してあり、スライドピース（２３）のスライド移動に応じて、突片（３３）が節動突起（４０）を乗り越えるようになっている請求項１、２、３、４または５記載の電気機器のスイッチ構造。
【請求項７】
ケース本体（１）が、内外二重の内ケース（１Ａ）と外ケース（１Ｂ）とで構成されており、
内ケース（１Ａ）と、透明ないし半透明プラスチック材で形成した外ケース（１Ｂ）との間に、装飾シート（１３）が巻装配置されており、
装飾シート（１３）にガイド溝（２２）に対応するスリット（２９）が形成されており、
前記スリット（２９）を内外に貫通する内外の両連結体（３１・３７）のいずれかで装飾シート（１３）が周方向へは遊動不能に固定保持されている請求項１、２、３、４、５または６記載の電気機器のスイッチ構造。  
【発明の詳細な説明】
【０００１】
【発明の属する技術分野】
この発明は、フェイスシェーバー、電動歯ブラシ、電動爪磨き機、シェーバー等の電気機器に関し、そのスイッチ構造を改良したものである。
【０００２】
【従来の技術】
本発明のスイッチ構造に関する従来例に特開平８−２２７４１号公報がある。そこでは、ケース本体の内外にスライドピースと操作ノブとを配置し、両者を係合爪で同行スライド可能に係合連結している。詳しくは、操作ノブの内面に突設した左右一対の係合爪をケース本体に通設した案内溝に挿通し、爪先端の係合片をスライドピースの切欠部下縁に係合させている。スライドピースとその下面に配置した基板との間には、操作ノブのスライド変位に伴ってオン・オフする可動端子および固定端子が設けられている。
【０００３】
【発明が解決しようとする課題】
上記のように、操作ノブとスライドピースとが係合爪を介して連結されるスイッチ構造によれば、連結状態において係合爪の突端の係合片がスライドピースの下面に突出する。そのため、スライドピースの下面に係合爪を収容するための空間を確保する必要があり、その分だけケース本体が大形化するのを避けられない。例えば、女性用のフェイスシェーバーの場合には、全体を化粧用具のように繊細で細身に仕上げることが望まれるが、従来のスイッチ構造では、ケース本体を小形化することに限界があった。
【０００４】
この発明の目的は、操作ノブとスライドピースの連結構造を改良することにより、ケース本体の内部において、スイッチ構造が占める専有空間を小さくし、その分だけケース本体の小形化なかでも薄形化とコンパクト化を実現することにある。この発明の他の目的は、スライドピースとケース本体との間に設けられる節動機構を薄形化し、その分だけケース本体の薄形化とコンパクト化を実現することにある。
【０００５】
【課題を解決するための手段】
この発明のスイッチ構造は、ケース本体１に通設したガイド溝２２の内外に、可動端子２４が装着してあるスライドピース２３と、スライドピース２３をスライド操作するための操作ノブ６とを配置する。操作ノブ６とスライドピース２３との対向面には、ガイド溝２２を介して互いに嵌係合する外連結体３７と内連結体３１とを設ける。操作ノブ６から外連結体３７を内方に向けて突出させ、スライドピース２３から内連結体３１を外方に向けて突出させる。スライドピース２３のベース部３１ｃに設けた内連結体３１を枠状に形成する。内連結体３１の左右方向の幅寸法を、ベース部３１ｃのそれよりも小さく設定し、内連結体３１の内外方向の厚み寸法を、ベース部３１ｃのそれよりも大きく設定する。ガイド溝２２を、外連結体３７の挿入を許す通孔部と、ケース本体１の内面に設けられて、前記通孔部に連通して内連結体３１の収容を許す収容部とで構成する。収容部を、内方寄りに設けられてベース部３１ｃの内外方向の厚み寸法の一部の収容を許す幅広の内収容部と、該内収容部よりも外方寄りに設けられて、内連結体３１の内外方向の厚み寸法の全体の収容を許す幅狭の外収容部とからなる、段付き状に形成する。外連結体３７の下端左右に係合爪３７ａを設け、内連結体３１の枠体空間の内面上部に係合爪３７ａを受け止める係合段部３１ａを設け、これら係合爪３７ａと係合段部３１ａの係合により、内外の両連結体３１・３７は、操作ノブ６の外面と、スライドピース２３の内面との間で係合連結する。係合爪３７ａの全体を内連結体３１の枠内空間に収容する。ケース本体１に設けたガイド溝２２の厚み範囲内で、内連結体３１と外連結体３７とを係合連結する。
【０００７】
スライドピース２３は、ガイド溝２２と、ガイド溝２２の内方に配置したモーター４の平坦周面４ａとで往復スライド自在に案内支持する。
【０００８】
内外の両連結体３１・３７の嵌係合部の周面を、ガイド溝２２の溝側壁２２ａで拡開不能に規制案内する。
【０００９】
内連結体３１の枠外面に可動端子２４を外嵌装着する。
【００１０】
スライドピース２３に設けた内連結体３１のベース部３１ｃの周側壁を、ケース本体１の内面に突設したガイドリブ３９でスライド案内する。
【００１１】
ケース本体１とスライドピース２３との間には、スライドピース２３の切り換わり状態を保持する節動機構を設ける。節動機構は、スライドピース２３と一体に設けられて、左右方向へ弾性変形する節動部３２と、ケース本体１の内面に設けられる横向きの節動突起４０とで構成する。節動部３２の外側面に、突片３３を設ける。節動突起４０は、突片３３の内面より外側で突片３３と係合するように形成し、スライドピース２３のスライド移動に応じて、突片３３が節動突起４０を乗り越えるようにする。
【００１２】
ケース本体１は、内外二重の内ケース１Ａと外ケース１Ｂとで構成する。内ケース１Ａと、透明ないし半透明プラスチック材で形成した外ケース１Ｂとの間には、装飾シート１３を巻装配置する。装飾シート１３にはガイド溝２２に対応するスリット２９を形成する。かくして前記スリット２９を内外に貫通する内外の両連結体３１・３７のいずれかで装飾シート１３を周方向へは遊動不能に固定保持する。
【００１３】
【発明の作用効果】
ケース本体１の内外に配置したスライドピース２３と操作ノブ６とに、それぞれ内連結体３１と外連結体３７とを設け、両連結体３１・３７は、操作ノブ６の外面と、スライドピース２３の内面との間で係合連結するようにしたので、両連結体３１・３７の係合構造がスライドピース２３の内面より内方に突出するのを解消できる。従って、本発明によれば、ケース本体１の内部においてスイッチ構造が占める空間、とくに内外方向の厚み空間量が小さくなり、その分だけケース本体１を薄形化してコンパクト化できる。両連結体３１・３７の係合構造がスライドピース２３および操作ノブ６の外郭線の内側に位置することになるので、スイッチ切り換え時に係合構造が他物に引っ掛かることを一掃できるうえ、長期使用に伴う摩耗の影響を受けることもなく、信頼性を向上できる点で有利である。
【００１４】
ケース本体１に設けたガイド溝２２の厚み範囲内で、内連結体３１と外連結体３７とを係合連結すると、内連結体３１がガイド溝２２内に入り込む分だけ、ケース本体１を薄型化できるうえ、両連結体３１・３７の係合深さを大きくして係合強度を増強できる。
【００１５】
スライドピース２３をガイド溝２２とモーター４の平坦周面４ａとで案内支持するスイッチ構造によれば、スライドピース２３の左右方向の振れをガイド溝２２の溝側壁２２ａで規制し、さらにスライドピース２３の前後遊動をケース本体１と先の平坦周面４ａとで規制できるので、スイッチ切り換え時のスライドピース２３の往復スライド動作が円滑でしかも安定したものとなる。また、形状および寸法のばらつきがない。モーター４の平坦周面４ａを利用して、スライドピース２３の位置決めとスライド時の位置規制とを行うので、スライドピース２３の切り換え動作が安定化し、ケース本体１内における部品の集積度を向上できる。
【００１６】
内外の両連結体３１・３７の嵌係合部の周面をガイド溝２２の溝側壁２２ａで拡開不能に規制案内するスイッチ構造によれば、落下衝撃や強い外力がスイッチ構造に作用した場合でも、両連結体３１・３７の嵌係合部が変形し、分離しようとする動作を、ケース本体１に設けたガイド溝２２で規制し、両連結体３１・３７の分離を確実に阻止できる。とくに、スイッチ構造の構成部品が小さい場合には、寸法のばらつきと遊動隙間のばらつきの影響を受けやすく、比較的小さな外力を受けて嵌係合部が分離することがあるが、こうした場合にも両連結体３１・３７が分離するのを防止できる。
【００１７】
内連結体３１を枠状に構成し、その内面に操作ノブ６側の外連結体３７を内嵌係合したうえで、内連結体３１の枠外面に可動端子２４を外嵌装着するスイッチ構造によれば、ガイド溝２２の溝側壁２２ａによる嵌係合部の分離防止作用に加えて、金属板製の可動端子２４による内連結体３１の拡開変形防止作用が得られるので、内外の両連結体３１・３７の分離をさらに確実に行える。また、可動端子２４を枠状の内連結体３１に外嵌するので、可動端子２４のスライドピース２３に対する組み付け位置と姿勢のばらつきを阻止でき、スイッチ切り換え時に、可動端子２４が摺動抵抗を受けてぐら付くことを抑止し、スイッチのオン・オフ切り換えが安定して行える。なお、内連結体３１を枠状に構成するとは、無端枠状、無端環状、および枠周囲の一部が分断してある場合のいずれをも含む。
【００１８】
スライドピース２３に設けた内連結体３１の周側壁を、ケース本体１の内面に突設したガイドリブ３８でスライド案内するのは、スイッチ切り換え時に、内連結体３１とその枠部外面に外嵌装着した可動端子２４が、内連結体３１に対して遊動するのをガイドリブ３８で規制して、可動端子２４の固定端子２５に対する接触状態が不安定になるのを避け、スイッチングを安定的に行うためである。
【００１９】
内ケース１Ａとスライドピース２３との間に設けられる節動機構が、スライドピース２３側の節動部３２と、内ケース１Ａ側の横向きの節動突起４０とで構成され、節動突起４０をスライドピース２３の内面より外側で節動部３２と係合させると、節動突起４０がスライドピース２３の内面より内方に突出することがないので節動機構の全体を薄形化でき、その分だけケース本体１の薄形化とコンパクト化を実現できる。節動突起４０は、例えば図６に示すように、内ケース１Ａの周壁を貫通する開口を利用して、その周縁に横向きに突出形成するが、そのままでは、先の開口を介して塵埃等がケース内部へ入り込む。外観上の体裁も悪い。しかし、ケース本体１を内ケース１Ａと外ケース１Ｂとで内外二重に構成しておくと、先の開口の外面を外ケース１Ｂで覆うことができるので、塵埃等の侵入の余地がないうえ、外観上の体裁も向上できる。
【００２０】
外観上の体裁を向上させるために、内ケース１Ａと外ケース１Ｂとの間に装飾シート１３を配置し、透明ないし半透明の外ケース１Ｂを介して装飾シート１３を視認できるようにしたケース構造においては、装飾シート１３がケース周面に沿って遊動し、例えばシートの周方向端に隙間を生じたり、あるいはシートの上下端が斜めに傾くことがある。このような装飾シート１３にスイッチ用のガイド溝２２に対応するスリット２９を設けておき、このスリット２９を貫通する内外の両連結体３１・３７のいずれかで受け止めると、装飾シート１３の周方向へのずれ動きや傾動を阻止して、外観上の体裁を維持し続けることができる。
【００２１】
【実施例】
図１ないし図１２はこの発明をフェイスシェーバーに適用した実施例を示す。図２においてフェイスシェーバーは、上下に長いケース本体１の上半のヘッド部２に刃ユニット３を設けてあり、下半のグリップ部の内部に、刃ユニット３用の駆動機構とその動力源であるモーター４と、電池５などを配置してなる。ケース本体１の前面中央には、モーター４への通電をオン・オフする操作ノブ６が配設設されている。ヘッド部２には上すぼまり鞘状のキャップ７が着脱可能に装着される。
【００２２】
ケース本体１は、ヘッド部２を含む内ケース１Ａと、主としてグリップ部を構成する外ケース１Ｂとで内外二重に構成する。図３に示すように、内ケース１Ａは前後に分割された前ケース８ａと後ケース８ｂとを蓋合わせ状に接合して構成してある。前ケース８ａの上部背面、即ち後ケース８ｂの上部には、先の刃ユニット３が着脱可能に装着してある。図４において刃ユニット３は、うぶ毛用の刃ユニットとまゆ毛用の刃ユニットとがあり、両者を交換装着できる。符号１０は刃ユニット３用のロックボタンである。
【００２３】
外ケース１Ｂは透明プラスチック材で形成した上下端が開口する筒状体からなり、その下端に電池キャップ１２が着脱可能に圧嵌装着してある。外ケース１Ｂと内ケース１Ａとの間には、図６に示すようにポリカーボネイト製の装飾シート１３が筒状に丸めた状態で装填してある。装飾シート１３には、色および模様が印刷され、その外ケース１Ｂとの接触面に微少凹凸が形成してある。
【００２４】
刃ユニット３は、ケース１４と、ケース１４に固定される固定刃１５、および駆動機構で往復駆動される可動刃１６などで構成する。図５および図７において駆動機構は、モーター４の出力軸に固定した原動ギヤ１７と、原動ギヤ１７の回転動力を受継ぐフェースギヤ１８と、フェースギヤ１８でクランクピン１９を介して上下方向へ往復駆動される駆動アーム２０とからなる。駆動アーム２０の先端は、先の可動刃１６の下端に設けた駆動ピースに差し込み連結してある。
【００２５】
モーター４への通電をオン・オフするためのスイッチ構造は、内ケース１Ａおよび外ケース１Ｂに通設した上下方向に長いガイド溝２２と、ガイド溝２２の内外に配置したスライドピース２３および先の操作ノブ６と、スライドピース２３に装着した可動端子２４と、前ケース８ａに固定される固定端子２５などで構成する。後述するように、内外の両連結体３１・３７を係合連結するとき、内連結体３１の枠部は僅かに拡開変形する。そのためにガイド溝２２の左右幅は枠部拡開変形を許す余裕を加味して、両連結体３１・３７の左右寸法より幾分大きめに設定する。装飾シート１３にも、図６に示すごとく先のガイド溝２２に対応するスリット２９が形成してある。
【００２６】
図１０において、固定端子２５は前ケース８ａの後ケース８ｂとの接合縁に沿って電池５の一側に隣接配置してあり、その下端に連結した電池押えばね２６を介して、電池５の負極に接続されている。固定端子２５の上端には、前ケース８ａの内周面に沿うスイッチ部２５ａが設けてある。このスイッチ部２５ａは前ケース８ａに溶着固定してある。このように、固定端子２５を前ケース８ａの内面に直接取り付けると、その取り付けのための基板を別部品として設ける必要がないので、その分だけケース本体１薄型化できる。電池５の正極は、前ケース８ａに固定した第１接続端子２７を介してモーター４の正極側入力端子に接続されている。可動端子２４は、上下スライドすることによって、先の固定端子２５と、モーター４の負極側入力端子に接続された第２接続端子２８とを導通し、あるいは遮断する。
【００２７】
図６においてスライドピース２３は、上下に長い板状のプラスチック成形品からなり、その下端側の片面に四角枠状の内連結体３１とベース部３１ｃを形成し、内連結体３１より上側のベース部３１ｃに連続する板面をくり抜いて、左右方向へ弾性変形できる一対の節動部３２を形成してなる。節動部３２の上下中途部の外側面には、後述する節動突起４０を乗り越える突片３３が設けてある。可動端子２４は銅板を打ち抜いて形成してあり、その板面には内連結体３１に外嵌する枠部３４を設け、枠部３４の下側には常に第２接続端子２８と接触する導通片３５を設け、枠部３４の上側には固定端子２５のスイッチ部２５と接離する接離片３６を設けてなる。
【００２８】
操作ノブ６は、上下に長い楕円形のボタンからなり、その内面に外連結体３７が突設してある。組立工程の終段において、操作ノブ６の外連結体３７を外ケース１Ｂの外面側から、ガイド溝２２を介してスライドピース２３の内連結体３１に圧嵌係合することにより、両者２３・３７をガイド溝２２に沿って上下に同行スライドでき、モーター４への通電状態をオン・オフできる。
【００２９】
ケース本体１の内部におけるスイッチ構造の占有空間を小さくし、その分だけケース本体１の薄形化とコンパクト化を実現するために、内外の両連結体３１・３７は、操作ノブ６の外面と、スライドピース２３の内面との間、より好ましくは図１に示すようにケース本体１に設けたガイド溝２２の厚み範囲内で係合連結する。詳しくは、図１に示すように、外連結体３７の下端左右に係合爪３７ａを設け、内連結体３１の内面上部寄りに係合爪３７ａを受け止める係合段部３１ａを設けて、この段部３１ａより下側の枠内空間で係合爪３７ａの全体を収容している。外連結体３７を内連結体３１に圧嵌係合するとき、内連結体３１の枠部が僅かに拡開変形し、係合爪３７ａは僅かに収縮変形する。しかし、操作ノブ６にこれを抜き外し分離するような外力が作用する場合には、内連結体３１にその枠部を拡開変形するような力が生じるものの、係合爪３７ａ自体には係合時のような収縮力が作用することはない。従って、衝撃力で外連結体３７が内連結体３１から分離するのをよく防止できる。このような状況を考慮して、先のガイド溝２２と内外の両連結体３１・３７との左右方向の隙間を最小必要限度に設定している。
【００３０】
上記のように操作ノブ６とスライドピース２３とを本体ケース１に組み付けた状態において、スライドピース２３の内連結体３１の左右側面が、内ケース１Ａ側のガイド溝２２の溝側壁２２ａで拡開不能に規制案内され、さらに、内連結体３１は、その周面に外嵌する金属板製の枠部３４によって拡開変形が規制されている。従って、落下衝撃を受けるような場合にも、内連結体３１がガイド溝２２内で拡開変形して、内外の両連結体３１・３７の係合状態が解除されることはない。とくに、金属板製の枠部３４による拡開変形規制作用は長期にわたる。
【００３１】
スライドピース２３の内外面はモーター４の平坦周面４ａと、ガイド溝２２に沿って設けた浅いガイド凹部３８とでスライド案内されている。詳しくは、内連結体３１のベース部３１ｃの内面と可動端子２４の枠部３４とを、平坦周面４ａとガイド凹部３８とでスライド案内している。さらに、スライドピース２３のベース部３１ｃと枠部３４の左右側面が、ガイド凹部３８の両側に突設したガイドリブ３９で案内支持されている。組み付け状態における可動端子２４の導通片３５と接離片３６とは、それぞれ第２接続端子２８と前ケース８ａの内面に対して、一定のばね圧を生じた状態で圧接している。従って、可動端子２４は、内連結体３１の基端に張り出したベース部３１ｃに常時押付けられることとなり、これにより、溶着などの手間を要することもなく可動端子２４をスライドピース２３に固定でき、その分だけ組立工数を削減できる。
【００３２】
先に説明したように、内外の両連結体３１・３７と先のガイド溝２２との間の隙間は、上下スライドを円滑に行うためにやや大きめに設定するが、内連結体３１のベース部３１ｃとガイドリブ３９との間の隙間は最小必要限度として、ベース部３１ｃと可動端子２４の枠部３４との側面をガイドリブ３９で遊動不能にガイドする。これは、スライドピース２３および可動端子２４の横方向への遊動をガイドリブ３９で規制して、可動端子２４の固定端子２５に対する接触状態が不安定になるのを避け、スイッチングを安定的に行うためである。
【００３３】
スライドピース２３をオン・オフの各位置において保持し、さらに切り換え途中にクリック感を与えるために、スライドピース２３と前ケース８ａ（内ケース１Ａ）との間に節動機構を有する。図１１において節動機構は、スライドピース２３の一対の節動部３２と、前ケース８ａの内面に設けられる節動突起４０とで構成する。節動突起４０は、図６に示すごとく前ケース８ａの周壁に鋳抜き形成される開口を利用して、この開口の開縁に左右対向状に設ける。内ケース８ａの周壁は断面半円状に形成するが、スライドピース２３のスライド範囲の左右は、内ケース８ａの内周面より僅かに凹ませてある。さらに、節動突起４０は内ケース８ａの内周面より僅かに突出している。従って、節動部３２の突片３３の下隅と、節動突起４０の上隅とは、図１２に示すようにスライド方向にラップし合う。従って、操作ノブ６を上下スライド操作すると、節動部３２を左右内向きに弾性変形させながら突片３３が節動突起４０を乗り越える。
【００３４】
図９に示すように操作ノブ６を上方へスライド操作してオン状態に切り換えると、スライドピース２３の上端に設けた受動片４１が、前ケース８ａのキャップ７用の段部に設けた開口４２から、キャップ７が被さる領域へと突出する。そのため、操作ノブ６をオン状態にしたままでキャップ７をケース本体１に装着すると、スライドピース２３および操作ノブ６のそれぞれが、キャップ７で強制的にオフ位置へ戻され、電池５が無駄に消耗されるのを防止できる。また、キャップ７を装着した状態のままで、操作ボタン６がオン位置へ切り換え操作されるのをよく防止できる。
【００３５】
内ケース１Ａと外ケース１Ｂとの間に介装した装飾シート１３は一枚のシートからなり、両ケース１Ａ・１Ｂ間の周面に沿って巻装してある。そのため、装飾シート１３は周方向へ遊動するおそれがあるが、この実施例においては、図１に示すごとく装飾シート１３に通設したスリット２９を先の外連結体３７で受け止めて、装飾シート１３の周方向への遊動を阻止している。
【００３６】
図１３および図１４は、それぞれ内外の両連結体３１・３７の係合構造の変形例を示す。図１３（参考実施例）においては、外連結体３７を左右一対の腕片で形成し、両腕片の先端内面に係合爪３７ａを対向状に設けた。また、内連結体３１は一個の腕片で形成し、その突端寄りの左右側面に係合段部３１ａを形成した。この場合には、外連結体３７の拡開変形を内ケース１Ａと、外ケース１Ｂに設けたガイド溝２２とで確実に規制できる。外連結体３７は、内連結体３１に外嵌した可動端子２４の浮き上りを防ぐことにも役立っている。
【００３７】
図１４（参考実施例）においては、内連結体３１を左右一対の腕片で形成し、その先端に係合爪３１ｂを設け、この係合爪３１ｂを操作ノブ６の外面凹部の係合段部３７ｂで受け止め係合できるようにしてある。操作ノブ６の外面凹部は別途設けた蓋板４４で塞いでおく。
【００３８】
図１５はスイッチ構造の別の実施例を示す。そこでは、ガイド溝２２の下端に、ガイド溝２２より広幅の組付け溝４５を設け、この組付け溝４５内において外連結体３７を内連結体３１に圧嵌係合できるようにし、両連結体３１・３７を係合連結した後、操作ノブ６とスライドピース２３を本来のオン・オフ領域へスライド変位させる点に特徴がある。符号４６は操作ノブ６をオフ位置で受け止める突起である。このように、組付け溝４５内で、両連結体３１・３７を圧嵌係合すると、ガイド溝２２内で両連結体３１・３７を圧嵌係合する場合に比べて、ガイド溝２２と両連結体３１・３７との間の左右隙間を最小限化できるので、スイッチ切り換え時に操作ノブ６やスライドピース２３が左右遊動するのを確実に規制でき、従って、可動端子２４の固定端子２５に対する接触状態が不安定になるのを避け、スイッチングを安定的に行うことができる。
【００３９】
上記の実施例以外に、スライドピース２３は、モーター４に隣接配置した回路基板の平坦面とガイド溝２２とでスライド案内できる。内外の両連結体３１・３７は、互いに圧入連結される穴と突起とで構成することができる。内連結体３１は、無端枠状に形成する以外に、無端環状、あるいは周囲の一部が途切れた枠状ないし環状に形成することができる。節動機構は、図１６に示すように変更できる。そこでは、スライドピース２３の内ケース１Ａとの摺動面の側に、左右方向へ弾性変形できる節動部３２を突設し、その突端の外側に節動突起４０を乗り越える突片３３を設けた。この場合、スライドピース２３をスライド案内する内ケース１Ａの周壁は平坦であってもよい。操作ノブ６とスライドピース２３の係合連結部に望むケース壁面も、湾曲している必要はなく平坦壁であってもよい。ケース本体１は内外二重である必要はない。スイッチ機構は、３位置ないし４位置に切り換えられる構造であってもよい。節動突起４０は、壁面に鋳抜き形成される開口を利用して形成する必要はなく、壁に設けた凹部を利用してその内側面に形成することができる。
【図面の簡単な説明】
【図１】図８におけるＡ−Ａ線断面図である。
【図２】キャップを外した状態の正面図である。
【図３】ケースおよび内部部品を分離した分解断面図である。
【図４】ヘッド部の背面図である。
【図５】全体の縦断側面図である。
【図６】スイッチ機構の分解斜視図である。
【図７】刃ユニットの駆動機構を示す縦断正面図である。
【図８】スイッチ・オフ状態での要部の縦断側面図である。
【図９】スイッチ・オン状態での要部の縦断側面図である。
【図１０】スイッチ部の一部破断正面図である。
【図１１】スイッチ部をケース内面側から見た背面図である。
【図１２】図１１におけるＢ−Ｂ線断面図である。
【図１３】  操作ノブとスライドピースの連結構造の参考実施例を示す断面図である。
【図１４】  操作ノブとスライドピースの連結構造の参考実施例を示す断面図である。
【図１５】操作ノブとスライドピースの連結構造の更に異なる別実施例を示す断面図である。
【図１６】節動機構の別実施例を示す断面図である。
【符号の説明】
１  ケース本体
６  操作ノブ
２２  ガイド溝
２３  スライドピース
２４  可動端子
３１  内連結体
３７  外連結体
【図１】
0004428546.tif 000002
【図２】
0004428546.tif 000003
【図３】
0004428546.tif 000004
【図４】
0004428546.tif 000005
【図５】
0004428546.tif 000006
【図６】
0004428546.tif 000007
【図７】
0004428546.tif 000008
【図８】
0004428546.tif 000009
【図９】
0004428546.tif 000010
【図１０】
0004428546.tif 000011
【図１１】
0004428546.tif 000012
【図１２】
0004428546.tif 000013
【図１３】
0004428546.tif 000014
【図１４】
0004428546.tif 000015
【図１５】
0004428546.tif 000016
【図１６】
0004428546.tif 000017